(57)【特許請求の範囲】
【請求項１】
端末装置によって実行される受信方法であって、
呼出物理ダウンリンク制御チャネルの繰返回数のパラメータを含むシステム情報ブロックを基地局から受信し、
呼出メッセージを上記基地局から受信し、
上記呼出物理ダウンリンク制御チャネルは、上記呼出メッセージを送信する物理ダウンリンク共有チャネルをスケジュールするためのダウンリンク制御情報を含み、
呼出物理ダウンリンク制御チャネルの上記繰返回数は上記呼出物理ダウンリンク制御チャネルの繰返レベルを決定するために用いられることを特徴とする受信方法。
【請求項２】
基地局によって実行される方法であって、
呼出物理ダウンリンク制御チャネルの繰返回数のパラメータを含むシステム情報ブロックを端末装置に送信し、
呼出メッセージを上記端末装置に送信し、
上記呼出物理ダウンリンク制御チャネルは、上記呼出メッセージを送信する物理ダウンリンク共有チャネルをスケジュールするためのダウンリンク制御情報を含み、
呼出物理ダウンリンク制御チャネルの上記繰返回数は上記呼出物理ダウンリンク制御チャネルの繰返レベルを決定するために用いられることを特徴とする方法。
【請求項３】
移動性管理実体(ＭＭＥ：Ｍｏｂｉｌｉｔｙ  Ｍａｎａｇｅｍｅｎｔ  Ｅｎｔｉｔｙ)によって実行される方法であって
Ｓ１ＡＰメッセージを基地局から受信し、
呼出メッセージを上記基地局に送信し、
上記Ｓ１ＡＰメッセージは第１の呼出繰返レベルおよび第１のセル情報を含み、
上記第１の呼出繰返レベルおよび第１のセル情報は保持され、かつ、端末装置の呼出しに用いられ、
上記第１の呼出繰返レベルは呼出物理ダウンリンク制御チャネルの繰返の回数であり、
上記第１のセル情報はセルの識別子を含み、
上記呼出メッセージは第２の呼出繰返レベルおよび第２のセル情報を含み、
上記第２の呼出繰返レベルは呼出物理ダウンリンク制御チャネルの繰返の回数であり、
上記第２のセル情報はセルの識別子を含むことを特徴とする方法。
【請求項４】
端末装置であって、
呼出物理ダウンリンク制御チャネルの繰返回数のパラメータを含むシステム情報ブロックを基地局から受信する設定受信部と、
呼出メッセージを上記基地局から受信する呼出受信部とを備え、
上記呼出物理ダウンリンク制御チャネルは、上記呼出メッセージを送信する物理ダウンリンク共有チャネルをスケジュールするためのダウンリンク制御情報を含み、
呼出物理ダウンリンク制御チャネルの上記繰返回数は上記呼出物理ダウンリンク制御チャネルの繰返レベルを決定するために用いられることを特徴とする端末装置。
【請求項５】
基地局であって、
呼出物理ダウンリンク制御チャネル（ＰＤＣＣＨ）の繰返回数のパラメータを含むシステム情報ブロックを端末装置に送信する送信部と、
呼出メッセージを上記端末装置に送信する呼出開始部とを備え、
上記呼出物理ダウンリンク制御チャネルは、上記呼出メッセージを送信する物理ダウンリンク共有チャネルをスケジュールするためのダウンリンク制御情報を含み、
呼出物理ダウンリンク制御チャネルの上記繰返回数は上記呼出物理ダウンリンク制御チャネルの繰返レベルを決定するために用いられることを特徴とする基地局。
【請求項６】
移動性管理実体(ＭＭＥ：Ｍｏｂｉｌｉｔｙ  Ｍａｎａｇｅｍｅｎｔ  Ｅｎｔｉｔｙ)であって、
Ｓ１ＡＰメッセージを基地局から受信する受信部と、
呼出メッセージを上記基地局に送信する送信部とを備え、
上記Ｓ１ＡＰメッセージは第１の呼出繰返レベルおよび第１のセル情報を含み、
上記第１の呼出繰返レベルおよび第１のセル情報は保持され、かつ、端末装置の呼出しに用いられ、
上記第１の呼出繰返レベルは呼出物理ダウンリンク制御チャネルの繰返の回数であり、
上記第１のセル情報はセルの識別子を含み、
上記呼出メッセージは第２の呼出繰返レベルおよび第２のセル情報を含み、
上記第２の呼出繰返レベルは呼出物理ダウンリンク制御チャネルの繰返の回数であり、
上記第２のセル情報はセルの識別子を含むことを特徴とする移動性管理実体。
【発明の詳細な説明】
【発明の詳細な説明】
【０００１】
〔技術分野〕
本発明は、無線通信技術分野に関する。より具体的には、本発明は機器間の通信における呼出メッセージの受信／送信方法、および基地局／ユーザ機器に関する。
【０００２】
〔背景技術〕
第３世代モバイル通信パートナ・プロジェクト（３ＧＰＰ）によるロング・ターム・エボリューション（ＬＴＥ）は、日々多様化していく将来のモバイルサービスの提供が目的である。中でも、無線セルラ通信は、人々の生活や仕事において欠かせないものに変わりつつある。３ＧＰＰ  ＬＴＥバージョン１（すなわちＲｅｌｅａｓｅ  ８）には、直交周波数分割多元接続（ＯＦＤＭＡ）およびマルチアンテナ（ＭＩＭＯ）技術が導入されている。また、３ＧＰＰのＲｅｌｅａｓｅ  １０は、国際電気通信連合による評価および測定を経て、正式に第４世代グローバルモバイル通信規格ＬＴＥ-Ａｄｖａｎｃｅｄとなった。ＬＴＥ-Ａｄｖａｎｃｅｄ規格は、キャリアアグリゲーション（ＣＡ）や中継技術が導入され、上り／下りＭＩＭＯ技術の強化や、ヘテロジニアスネットワーク（Ｈｅｔ-Ｎｅｔ）のレイアウトのサポートを実現している。
【０００３】
将来の家庭用機器の通信に対する市場需要、および大規模な「モノのインターネット（ＩＯＴ）」のレイアウトを満たすために、３ＧＧＰは、ＬＴＥやそのアップグレードバージョンに機器間の通信技術(ＭＴＣ：Ｍａｃｈｉｎｅ  Ｔｙｐｅ  Ｃｏｍｍｕｎｉｃａｔｉｏｎ)を導入してＭＴＣサービスを現在のＧＳＭネットワークサポートからＬＴＥネットワークサポートに移行することを決定し、それとともに新たなＬＴＥユーザ機器(ＵＥ：Ｕｓｅｒ  Ｅｑｕｉｐｍｅｎｔ)タイプを幾つか定義した。そのうちの一つは低コストＭＴＣユーザ機器(Ｌｏｗ−ｃｏｓｔ  ＭＴＣ  ＵＥ)と称される。該ＭＴＣユーザ機器は、現行ＬＴＥネットワークの全てのデュプレックスモードにおいて、ＭＴＣサービスの適用が可能であり、下記の特性（１）〜（３）を有する。（１）受信アンテナが１つである。（２）下りおよび上りの最大伝送ブロックサイズ（ＴＢＳ：Ｔｒａｎｓｐｏｒｔ  Ｂｌｏｃｋ  Ｓｉｚｅ）が１０００ビットである。（３）ダウンリンクデータチャネルのベースバンド帯域が１．４ＭＨｚまで減らされ、ダウンリンク制御チャネルの帯域と、ネットワーク側のシステム帯域とが一致しており、アップリンクチャネルの帯域およびダウンリンクのＲＦ部分が、現行ＬＴＥネットワークにおけるＭＴＣユーザ機器と一致している。また、低複雑性ＭＴＣ機器（Ｌｏｗ−ｃｏｍｐｌｅｘｉｔｙ  ＭＴＣ  ＵＥ）と呼ばれるユーザ機器など、様々なユーザ機器タイプが存在する。
【０００４】
ＭＴＣは、人的介入を必要としないデータ通信サービスである。ＭＴＣユーザ機器による大規模なレイアウトは、セキュリティ、追跡、料金支払い、測量や電子的消費などの分野に応用できる。具体的な応用としては、映像モニタリング、荷物供給チェーンの追跡、スマート電気メータ、遠隔操作等を含む。ＭＴＣユーザ機器は、要求されるパワー消費が低いため、低いデータ伝送レートおよび低いモバイル性に適している。現在のＬＴＥシステムは、主にヒューマン・トゥ・ヒューマン（Ｈ２Ｈ）通信サービス向けのものであるため、ＭＴＣサービスの規模競争の優勢および将来の応用性を実現するためには、低コストで、低複雑性で動作可能なＭＴＣ機器をサポートするＬＴＥネットワークがそのキーポイントである。
【０００５】
一部のＭＴＣ機器は、住宅ビルの地下室、または、絶縁箔、金属製格子若しくは従来建築物の分厚い壁に守られる場所に設置しなければならない。これらの機器の空間インターフェースは、ＬＴＥネットワークにおける一般の端末機器（たとえば携帯電話、タブレットＰＣ等）に比べ、著しく大きな透過損失が生じる。そこで、３ＧＰＰは、ＬＴＥネットワークにおいて、２０ｄＢを追加するカバー強化サービスをＭＴＣユーザ機器に提供する設計案の研究および性能評価を決定した。なお、ネットワークカバーの悪い領域に位置するＭＴＣユーザ機器は、極めて低いデータ伝送レート、極めて緩い時間遅延要求、および有限なモバイル性といった特徴を有する。ＭＴＣユーザ機器のこれらの特徴に対し、ＬＴＥネットワークでは、ＭＴＣユーザ機器をサポートするために、一部のシグナリングおよび／またはチャネルを更に最適化することができる。また、３ＧＰＰは、新たに定義されたＭＴＣユーザ機器、および、ＭＴＣサービス（たとえば遅延要求が極めて緩いサービス）を運用する他のユーザ機器に対し、ある程度のＬＴＥネットワークのカバー強化を提供することを要求している。中でも、周波数分割復信（ＦＤＤ）のＬＴＥネットワークについて、１５ｄＢのネットワークカバー強化を提供する。但し、ＭＴＣサービスを運用する全てのユーザ機器に同様のネットワークカバー強化が必要であるというわけではない。
【０００６】
新型ＭＴＣユーザ機器の場合、ダウンリンクでは、ベースバンド部分のデータチャネルが１．４ＭＨｚ（すなわちＲＢ（Ｒｅｓｏｕｒｃｅ  Ｂｌｏｃｋ）６個分）であっても、制御チャネルは下りシステム帯域全体にアクセスできる。また、ＲＦリンク部分は、変化しないまま維持され、システム帯域全体にアクセスできる。一方、アップリンクでは、ベースバンド部分およびＲＦリンク部分は、何れも変化せずに維持される。ＭＴＣユーザ機器は、アンテナが１つであり、最大の上りおよび下り伝送ブロックが何れも１０００ビットである。
【０００７】
ＭＴＣサービスを運用する、カバー強化モード下の３ＧＰＰ  ＬＴＥユーザ機器については、ＰＤＣＣＨ／ＰＤＳＣＨ／ＰＵＣＣＨ／ＰＵＳＣＨのような物理層チャネルのカバー強化の設計および設定を規格化する必要がある。３ＧＰＰ  ＲＡＮ１＃７４会議の討論によれば、初期アクセスが完了した後、繰返伝送が必要なすべての物理チャネルの設定モードは、基地局(ｅＮｏｄｅＢ)側において決定される。また、３ＧＰＰ  ＲＡＮ２＃８５会議の討論では、カバー強化モード下のＭＴＣユーザ機器にネットワーク側から呼出情報(Ｐａｇｉｎｇ)を送信することを支持した。もちろん、この呼出情報は物理チャネル上で繰返して伝送される必要がある。現在のＬＴＥ規格では、呼出の伝送は、移動性管理実体(ＭＭＥ：Ｍｏｂｉｌｉｔｙ  Ｍａｎａｇｅｍｅｎｔ  Ｅｎｔｉｔｙ)と基地局との間のＳ１ＡＰインターフェースメッセージでの伝送と、基地局とユーザ機器との間の物理層空間インターフェースメッセージでの伝送と、の二種類に分けられる。Ｓ１ＡＰインターフェースでの情報に関して、移動性管理実体は、各基地局に対し、呼出されるべきユーザ機器の情報を携帯している呼出情報(Ｐａｇｉｎｇ)を使って呼出プロセスを起す。基地局は、呼出情報を受信した後、その内容を解読することにより該ユーザ機器の追跡エリア識別子(ＴＡＩ：Ｔｒａｃｋｉｎｇ  Ａｒｅａ  Ｉｄｅｎｔｉｔｙ)のテーブルを得、該テーブル内の追跡エリアに所属するセルにおいて、空間インターフェースでの呼出を行う。しかし、基地局は、呼出されるＭＴＣユーザ機器がカバー強化モードであるかどうかを知らないため、呼出情報がカバー強化モードのＭＴＣユーザ機器に正確に受信されるように、空間インターフェース上ですべての呼出メッセージを繰り返さなければならない。これはスペクトルリソースの莫大な浪費をもたらす。したがって、バージョン５(Ｒｅｌｅａｓｅ  １２またはＲｅｌ−１２)およびそれ以降のバージョンにおいて、カバー強化モード下のＭＴＣユーザ機器の呼出メカニズムを新たに規格化する必要がある。
【０００８】
〔発明の概要〕
以上の課題に対して、ＬＴＥネットワークに基づき、本発明は、ＭＴＣユーザ機器(ユーザ機器、および、遅延を許容するＭＴＣサービスを運用し、且つある程度のネットワークカバー強化を必要とする他のユーザ機器を含む)のための、呼出メッセージの送信および／または受信方法、並びに、該方法を実現するために必要なユーザ機器と基地局、および／またはネットワーク側とシグナリングインタラクションを提供する。
【０００９】
本発明の一実施例によれば、前記ユーザ機器に必要なカバー強化レベルを示す情報を含むカバー強化関連情報と、前記ユーザ機器の所属セルの情報とを含む、前記ユーザ機器の状態情報を基地局に報告するステップと、前記基地局から、前記ユーザ機器の呼出繰返レベルを示す呼出繰返レベル設定メッセージを受信するステップと、前記基地局から、前記ユーザ機器の呼出繰返レベルおよび／または前記ユーザ機器の所属セルの情報に基づいて送信された呼出メッセージを受信するステップと、を含むユーザ機器によって実行される呼出メッセージの受信方法を提供する。
【００１０】
本発明の他の実施例によれば、前記ユーザ機器の状態情報に基づいて決定された呼出繰返レベルを少なくとも含む、前記ユーザ機器に対する呼出メッセージを、前記基地局にアクセスされているネットワーク側機器から受信するステップと、前記呼出繰返レベルに基づき、空間インターフェース上で前記ユーザ機器に対して複数回の呼出を行うステップと、を含む基地局によって実行される呼出メッセージの送信方法を提供する。
【００１１】
本発明の他の実施例によれば、基地局から、前記ユーザ機器に対する呼出繰返レベルとユーザ機器の所属セルの情報とを含むユーザ機器状態情報指示メッセージを受信するステップと、ユーザ機器の呼出の際に、前記ユーザ機器が登録された追跡エリアの範囲内の各基地局に、ユーザ機器の状態情報に基づいて決定された呼出繰返レベルを少なくとも含む呼出メッセージを送信するステップとを含むネットワーク側機器によって実行される呼出メッセージの送信方法を提供する。
【００１２】
本発明の他の実施例によれば、前記ユーザ機器に必要なカバー強化レベルを示す情報を含むカバー強化関連情報と該ユーザ機器の所属セルの情報とを含む、該ユーザ機器の状態情報を基地局に報告する状態報告ユニットと、前記基地局から、前記ユーザ機器の呼出繰返レベルを示す呼出繰返レベル設定メッセージを受信する設定受信ユニットと、前記基地局から、前記ユーザ機器の呼出繰返レベルおよび／または前記ユーザ機器の所属セルの情報に基づいて送信された呼出情報を受信する呼出メッセージ受信ユニットとを含むユーザ機器を提供する。
【００１３】
本発明の他の実施例によれば、前記ユーザ機器の状態情報に基づいて決定された呼出繰返レベルを少なくとも含む、該ユーザ機器に対する呼出メッセージを、前記基地局にアクセスされているネットワーク側機器から受信する呼出メッセージ受信ユニットと、前記呼出繰返レベルに基づき、空間インターフェース上で前記ユーザ機器に対して複数回の呼出を行う呼出実行ユニットとを含む基地局を提供する。
【００１４】
本発明の他の実施例によれば、基地局から、ユーザ機器に対する呼出繰返レベルと前記ユーザ機器の所属セルの情報とを含むユーザ機器状態情報指示メッセージを受信する状態指示受信ユニットと、前記ユーザ機器の呼出の際に、前記ユーザ機器が登録された追跡エリアの範囲内の各基地局に、前記ユーザ機器の状態情報に基づいて決定された呼出繰返レベルを少なくとも含む呼出メッセージを送信する呼出メッセージ送信ユニットとを含むネットワーク側機器を提供する。
【００１５】
本発明によれば、ＭＴＣユーザ機器をサポートするＬＴＥのリソース利用率を高め、スペクトル／エネルギー効率を改善できる。
【００１６】
〔図面の簡単な説明〕
以下、図面を参照しながら詳細に説明し、本発明の上述した特徴および他の特徴をさらに明らかにする。
【００１７】
図１は、本発明の実施例に係る、ユーザ機器によって実行される呼出メッセージの受信方法を示す簡略なフローチャートである。
【００１８】
図２は、本発明の実施例に係る、基地局によって実行される呼出メッセージの送信方法を示す簡略なフローチャートである。
【００１９】
図３は、本発明の実施例に係る、ネットワーク側機器によって実行される呼出メッセージの送信方法を示す簡略なフローチャートである。
【００２０】
図４は、本発明の実施例に係るユーザ機器を示す簡略なブロック図である。
【００２１】
図５は、本発明の実施例に係る基地局を示す簡略なブロック図である。
【００２２】
図６は、本発明の実施例に係るネットワーク側機器を示す簡略なブロック図である。
【００２３】
図７は、本発明の実施例に係る、カバー強化を必要とするユーザ機器に対する呼出情報の送信方法および受信方法を示すフローチャートである。
【００２４】
図８は、本発明の実施例に係る、カバー強化を必要とするユーザ機器に対する呼出情報の送信方法および受信方法を示す他のフローチャートである。
【００２５】
図９は、本発明の実施例に係る、カバー強化を必要とするユーザ機器の移動性によるチャネル条件の変化を示す図である。
【００２６】
〔具体的な実施形態〕
以下、図面と具体的な実施例を参照しながら、別途でカバー強化を必要とするユーザ機器、および、遅延を許容するＭＴＣサービスを運用し、且つある程度のカバー強化を必要とする他のユーザ機器に対する、本発明が提供する呼出情報の送信および受信方法、並びに、基地局(ｅＮｏｄｅＢ)、ユーザ機器(ＵＥ)について詳しく説明する。なお、本発明は、後述する具体的な実施例に限定されるものではない。また、本発明に対する理解の混同を避けるために、便宜上、本発明と直接に関連しない公知技術の詳細な説明を省略する。
【００２７】
以下は、例示的な運用環境として、ＬＴＥモバイル通信システムおよびそれ以降のエボリューションリリースを挙げ、本発明に係るいくつかの実施例を具体的に説明する。但し、本発明は下記の実施例に限定されず、多種の別の無線通信システム、例えば将来の５Ｇセルラ通信システムまたはアップグレードバージョンのモバイル通信システムにも適用可能である。
【００２８】
図１に示されたように、本発明の一実施例によれば、ユーザ機器に必要なカバー強化レベルを示す情報を含むカバー強化関連情報と該ユーザ機器の所属セルの情報とを含む、該ユーザ機器の状態情報を、基地局に報告するステップＳ１０と、基地局から、ユーザ機器の呼出繰返レベルを示す呼出繰返レベル設定メッセージを受信するステップＳ１２と、基地局から、ユーザ機器の呼出繰返レベルおよび／またはユーザ機器の所属セルの情報に基づいて送信された呼出情報を受信するステップＳ１４とを含む、ユーザ機器によって実行される呼出メッセージの受信方法を提供する。
【００２９】
他の一部の実施例において、ユーザ機器（例えばＭＴＣユーザ機器）は、高位層シグナリングおよび／またはＲＲＣシグナリングを使って、繰返レベル情報および所属セルの情報等を含む状態情報を報告してもよい。該ＲＲＣシグナリングは、ＲＲＣ  ｃｏｎｎｅｃｔｉｏｎ  ｒｅｑｕｅｓｔおよび／またはＲＲＣ  ｓｅｔｕｐ  ｃｏｍｐｌｅｔｅメッセージであってもよい。一部の実施例において、基地局にアクセスされているネットワーク側を直接に宛先とする非アクセス層(ＮＡＳ)メッセージを使って、状態情報を基地局経由で該ネットワーク側に送信してもよい。
【００３０】
一部の実施例において、ユーザ機器は、ユーザ側の監視報告(ｍｅａｓｕｒｅｍｅｎｔ  ｒｅｐｏｒｔおよび／またはＣＳＩ  ｒｅｐｏｒｔ)を使って、カバー強化関連情報を報告してもよい。
【００３１】
他の一部の実施例において、ユーザ機器は、自機器がＲＲＣ  ｃｏｎｎｅｃｔ状態であっても、ＩＤＬＥ状態であっても、例えば前記の呼出繰返レベル設定メッセージのような呼出レベルメッセージを記憶してもよい。
【００３２】
図２に示されたように、本発明の他の実施例によれば、ユーザ機器の状態情報に基づいて決定された呼出繰返レベルを少なくとも含む、ユーザ機器に対する呼出メッセージを、基地局にアクセスされているネットワーク側機器から受信するステップＳ２０と、呼出繰返レベルに基づき、空間インターフェース上でユーザ機器に対して複数回の呼出を行うステップＳ２２とを含む、基地局によって実行される呼出メッセージの送信方法を提供する。
【００３３】
他の一部の実施例において、該方法は、ユーザ機器に必要なカバー強化レベルを示す情報を含む該ユーザ機器のカバー強化関連情報と、該ユーザ機器の所属セルの情報とを含む、ユーザ機器から報告された状態情報を受信するステップと、カバー強化関連情報に基づき、ユーザ機器に対して呼出繰返レベル情報を設定するステップと、呼出繰返レベル情報を含む呼出繰返レベル設定メッセージを生成し、ユーザ機器に送信するステップと、呼出繰返レベルとユーザ機器の所属セルの情報とを含むユーザ機器状態情報指示メッセージを、基地局にアクセスされているネットワーク側機器に送信するステップと、をさらに含んでもよい。
【００３４】
他の一部の実施例において、基地局は、ユーザ機器から報告された状態メッセージを、Ｓ１−ＡＰインターフェースメッセージを用いてネットワーク側に送信してもよい。一部の実施例において、具体的にはネットワーク側の移動性管理実体に送信してもよい。
【００３５】
他の一部の実施例において、基地局は、ユーザ機器の追跡エリア識別子のテーブル内のセルごとに、呼出繰返レベルに基づき、空間インターフェース上でユーザ機器に対して複数回の呼出を行ってもよい。
【００３６】
他の一部の実施例において、基地局は、呼出メッセージを解析してユーザ機器の所属セルを特定すると共に、ユーザ機器の所属セルについて、呼出繰返レベルに基づき、空間インターフェース上でユーザ機器に対して複数回の呼出を行ってもよい。
【００３７】
図３に示されたように、本発明の他の実施例によれば、基地局から、ユーザ機器に対する呼出繰返レベルとユーザ機器の所属セルの情報とを含むユーザ機器状態情報指示メッセージを受信するステップＳ３０と、ユーザ機器の呼出の際に、ユーザ機器が登録された追跡エリアの範囲内の各基地局に、ユーザ機器の状態情報に基づいて決定された呼出繰返レベルを少なくとも含む呼出メッセージを送信するステップＳ３２とを含む、ネットワーク側機器によって実行される呼出メッセージの送信方法を提供する。
【００３８】
他の一部の実施例において、ユーザ機器は、その呼出繰返レベル情報および所属セルの情報を、ＮＡＳメッセージを用いてネットワーク側またはその移動性管理実体に送信する。ネットワーク側または移動性管理実体は、呼出繰返レベル情報と、所属セルの情報およびそれに対応するユーザ機器識別子（ＵＥ−ＩＤ）（例えばＴＭＳＩ）とを記憶する。
【００３９】
一部の実施例によれば、ネットワーク側または移動性管理実体は、記憶されている情報に基づき、呼出されるユーザ機器がカバー強化を必要とするユーザ機器であるかを判断する。呼出されるユーザ機器はカバー強化を必要とするユーザ機器である場合、該ユーザ機器の追跡エリア内のセルは同一基地局に属してもよい。該基地局はＭＴＣサービス基地局であってもよい。
【００４０】
一部の実施例によれば、ネットワーク側または移動性管理実体は、記憶されている情報に基づき、呼出されるユーザ機器がカバー強化を必要とするユーザ機器であるかを判断する。呼出されるユーザ機器がカバー強化を必要とするユーザ機器である場合、該ユーザ機器の追跡エリア内のセルはＭＴＣサービスセルであってもよい。
【００４１】
一部の実施例によれば、ネットワーク側または移動性管理実体は、呼出繰返レベル情報を、対応する呼出メッセージと共に基地局に送信してもよい。
【００４２】
一部の実施例によれば、ネットワーク側または移動性管理実体は、呼出繰返レベル情報、ユーザ機器の所属セルの情報、および対応する呼出メッセージを共に基地局に送信する必要がある。
【００４３】
一部の実施例によれば、ユーザ機器が初期アクセス、セルの選択若しくはセルの再選択を行うとき、あるいは、基地局および／またはネットワーク側若しくは移動性管理実体がユーザ機器の繰返レベルまたは所属セルを再設定するときに、ユーザ機器は、基地局および／またはネットワーク側若しくは移動性管理実体に、ユーザ機器状態情報を再報告する必要がある。
【００４４】
図４に示されたように、本発明の他の実施例によれば、ユーザ機器に必要なカバー強化レベルを示す情報を含むカバー強化関連情報と該ユーザ機器の所属セルの情報とを含む、該ユーザ機器の状態情報を基地局に報告する状態報告ユニット４１０と、基地局から、ユーザ機器の呼出繰返レベルを示す呼出繰返レベル設定メッセージを受信する設定受信ユニット４２０と、基地局から、ユーザ機器の呼出繰返レベルおよび／またはユーザ機器の所属セルの情報に基づいて送信された呼出情報を受信する呼出メッセージ受信ユニット４３０とを含むユーザ機器を提供する。
【００４５】
他の一部の実施例において、前記ユーザ機器は、例えば、ユーザ機器側での各種の測定を用いて該ユーザ機器の現在状態情報を収集するなど、ユーザ機器の状態情報を収集する状態情報收集ユニット４４０をさらに含んでもよい。前記状態情報は、例えば状態報告ユニット４１０等に供されて使用されてもよく、後に通信機器の各ユニットに使用されるように記憶ユニット４５０内に記憶されてもよい。
【００４６】
他の一部の実施例において、前記ユーザ機器は、設定受信ユニット４２０によって基地局から受信された呼出繰返レベル設定メッセージ等の情報を、基地局にアクセスされているネットワーク側機器に基地局経由で送信する設定送信ユニット４６０をさらに含んでもよい。なお、上記状態情報または呼出繰返レベル設定メッセージの送信は、ネットワーク側機器を宛先とする非アクセス層メッセージによって行われてもよい。
【００４７】
他の一部の実施例において、前記呼出繰返レベル設定メッセージは、基地局から無線リソース制御（ＲＲＣ）シグナリングによって送信される。この場合、以下の可能性がある。
【００４８】
・呼出繰返レベルが、呼出チャネル（ＰＣＨ：Ｐａｇｉｎｇ  ＣＨａｎｎｅｌ）としての伝送チャネルの繰返伝送を示している。あるいは、
・呼出繰返レベルが、呼出情報を担持した物理ダウンリンク共有チャネル(ＰＤＳＣＨ：Ｐｈｙｓｉｃａｌ  Ｄｏｗｎｌｉｎｋ  Ｓｈａｒｅｄ  ＣＨａｎｎｅｌ)の繰返伝送を示しており、ユーザ機器が、ページング無線ネットワーク一時識別子(Ｐ−ＲＮＴＩ：Ｐａｇｉｎｇ  Ｒａｄｉｏ  Ｎｅｔｗｏｒｋ  Ｔｅｍｐｏｒａｒｙ  Ｉｄｅｎｔｉｆｉｅｒ)に基づき、対応する物理ダウンリンク制御チャネル(ＰＤＣＣＨ：Ｐｈｙｓｉｃａｌ  Ｄｏｗｎｌｉｎｋ  Ｃｏｎｔｒｏｌ  ＣＨａｎｎｅｌ)のダウンリンク制御情報(ＤＣＩ：Ｄｏｗｎｌｉｎｋ  Ｃｏｎｔｒｏｌ  Ｉｎｆｏｒｍａｔｉｏｎ)を監視することによって、物理ダウンリング共有チャネルを復調する。あるいは、
・呼出繰返レベルが、呼出情報を担持した物理ダウンリンク共有チャネルおよび対応する物理ダウンリンク制御チャネルの繰返伝送を示しており、ユーザ機器がＰ−ＲＮＴＩに基づき、対応する物理ダウンリンク制御チャネルのダウンリンク制御情報を監視することによって、前記物理ダウンリング共有チャネルを復調する。
【００４９】
他の一部の実施例において、ユーザ機器の状態情報はＲＲＣシグナリングによって報告され、ユーザ機器に必要なカバー強化レベルを示す情報は、ユーザ機器から提案された繰返レベルを示している。
【００５０】
他の一部の実施例において、呼出繰返レベル設定メッセージを送信するための前記ＲＲＣシグナリングはＲＲＣ  ｃｏｎｎｅｃｔｉｏｎ  ｒｅｌｅａｓｅメッセージである。
【００５１】
他の一部の実施例において、設定受信ユニット４２０は、さらに、カバー強化を必要とするユーザ機器に対する追跡エリア識別子（ｔｒａｃｋｉｎｇ  ａｒｅａ  ｃｏｄｅ）を、システムブロードキャストメッセージを用いて受信してもよい。設定受信ユニット４２０が、カバー強化を必要とするユーザ機器の前記追跡エリア識別子を受信した後、呼出メッセージ受信ユニット４３０は、前記追跡エリア識別子によって示された追跡エリア内のセルについて、特定の繰返レベルで送信され、呼出情報を含んだ物理ダウンリンク共有チャネルデータを、複数のサブフレーム上において受信する。
【００５２】
図５に示されたように、本発明の他の実施例によれば、ユーザ機器の状態情報に基づいて決定された呼出繰返レベルを少なくとも含む、該ユーザ機器に対する呼出メッセージを、前記基地局にアクセスされているネットワーク側機器から受信する呼出メッセージ受信ユニット５１０と、呼出繰返レベルに基づき、空間インターフェース上でユーザ機器に対して複数回の呼出を行う呼出実行ユニット５２０とを含む基地局を提供する。
【００５３】
他の一部の実施例において、該基地局は、ユーザ機器に必要なカバー強化レベルを示す情報を含むカバー強化関連情報と該ユーザ機器の所属セルの情報とを含む、該ユーザ機器から報告された状態情報を受信する状態報告受信ユニット５３０と、カバー強化関連情報に基づき、ユーザ機器に対して呼出繰返レベル情報を設定する設定ユニット５４０と、呼出繰返レベル情報を含む呼出繰返レベル設定メッセージを生成し、ユーザ機器に送信する設定メッセージ生成・送信ユニット５５０と、呼出繰返レベルとユーザ機器の所属セルの情報とを含むユーザ機器状態情報指示メッセージを、基地局にアクセスされているネットワーク側機器に送信する状態指示ユニット５６０とをさらに含んでもよい。
【００５４】
他の一部の実施例において、呼出繰返レベルを含む複数の呼出メッセージを基地局が同時に受信した場合において、複数の呼出メッセージ内に同一の呼出繰返レベルが含まれているとき、複数の呼出メッセージを１つの呼出メッセージに統合する呼出処理ユニット５７０をさらに含む。
【００５５】
他の一部の実施例において、さらに、呼出処理ユニット５７０は、呼出繰返レベルと所属セルとを含む複数の呼出メッセージを基地局が同時に受信した場合において、複数の呼出メッセージ内に同一の呼出繰返レベルおよび同一の所属セルが含まれているとき、複数の呼出メッセージを１つの呼出メッセージに統合する。
【００５６】
他の一部の実施例において、さらに、呼出実行ユニット５２０はユーザ機器の追跡エリア識別子のテーブル内のセルごとに、呼出繰返レベルに基づき、空間インターフェース上でユーザ機器に対して複数回の呼出を行う。
【００５７】
他の一部の実施例において、呼出メッセージは、ユーザ機器の所属セルの情報をさらに含む。この場合、呼出処理ユニット５７０は、さらに、呼出メッセージを解析し、ユーザ機器の所属セルを特定する。さらに、呼出実行ユニット５２０は、ユーザ機器の所属セルについて、呼出繰返レベルに基づき、空間インターフェース上でユーザ機器に対して複数回の呼出を行う。
【００５８】
他の一部の実施例において、基地局は、例えば状態報告受信ユニット５３０が受信した状態情報や、状態指示ユニット５６０が送信したユーザ機器状態情報指示メッセージ等、前記各ユニットによって受信された情報または使用されるべき情報を、一時的にまたは持続的に記憶する記憶ユニット５８０(例えばＲＡＭ、ＰＲＯＭ、フラッシュメモリ等の揮発性または不揮発性の記憶媒体)をさらに含んでもよい。
【００５９】
他の一部の実施例において、呼出繰返レベル設定メッセージは、基地局からＲＲＣシグナリングによって送信される。この場合、以下の可能性がある。
・呼出繰返レベルが、伝送チャネルである呼出チャネルの繰返伝送を示している。あるいは、
・呼出繰返レベルが、呼出情報を担持した物理ダウンリンク共有チャネルの繰返伝送を示しており、対応する物理ダウンリンク制御チャネルに内包されている対応するダウンリンク制御情報が、ページング無線ネットワーク一時識別子によって他のダウンリンク制御情報から区別される。あるいは、
・呼出繰返レベルが、呼出情報を担持した物理ダウンリンク共有チャネルおよび対応する物理ダウンリンク制御チャネルの繰返伝送を示しており、前記物理ダウンリンク制御チャネルに内包されている対応するダウンリンク制御情報が、ページング無線ネットワーク一時識別子によって他のダウンリンク制御情報から区別される。
【００６０】
他の一部の実施例において、設定メッセージ生成・送信ユニット５５０はさらに、カバー強化を必要とするユーザ機器に対する追跡エリア識別子を、システムブロードキャストメッセージを用いて送信する。一部の実施例において、設定メッセージ生成・送信ユニット５５０は、通常のユーザ機器に対する追跡エリア識別子を送信してもよい。
【００６１】
他の一部の実施例において、呼出繰返レベル設定メッセージを送信するための前記ＲＲＣシグナリングはＲＲＣ  ｃｏｎｎｅｃｔｉｏｎ  ｒｅｌｅａｓｅメッセージである。
【００６２】
他の一部の実施例において、状態指示ユニット５６０は、ユーザ機器の呼出繰返レベル設定情報を告知するために、Ｓ１シグナリングをネットワーク側(例えば移動性管理実体)に送信する。
【００６３】
図６に示されたように、本発明の他の実施例によれば、基地局から、ユーザ機器に対する呼出繰返レベルとユーザ機器の所属セルの情報とを含むユーザ機器状態情報指示メッセージを受信する状態指示受信ユニット６１０と、ユーザ機器の呼出の際に、ユーザ機器が登録された追跡エリアの範囲内の各基地局に、ユーザ機器の状態情報に基づいて決定された呼出繰返レベルを少なくとも含む呼出メッセージを送信する呼出メッセージ送信ユニット６２０とを含むネットワーク側機器を提供する。
【００６４】
他の一部の実施例において、状態指示受信ユニット６１０が受信した状態情報は、基地局から直接送信されたものであってもよく、ユーザ機器から非アクセス層メッセージによって基地局経由で送信されたものであってもよい。
【００６５】
他の一部の実施例において、ネットワーク側機器は、例えばユーザ機器状態情報指示メッセージまたはそれに含まれている情報など、状態指示受信ユニット６１０が受信した情報を記憶する記憶ユニット６３０をさらに含む。
【００６６】
他の一部の実施例において、ネットワーク側機器は、記憶ユニット６３０内に記憶されている情報に基づき、呼出されるユーザ機器がカバー強化を必要とするユーザ機器であるかを判断する呼出予備処理ユニット６４０をさらに含む。
【００６７】
他の一部の実施例において、ネットワーク側機器は、移動性管理実体(ＭＭＥ)であってもよく、類似の機能をネットワーク側において実現可能ないかなる機器（例えば、非ＬＴＥネットワークにおいて類似の機能を実現する実体）または類似の機能を実現する、将来に出現し得る実体であってもよい。本発明に記載のＭＴＣユーザ機器とは、別途でカバー強化を必要とするＭＴＣユーザ機器または低複雑性/低コストのＭＴＣユーザ機器、および、遅延を許容するＭＴＣサービスを運用し、且つある程度のネットワークカバー強化を必要とする他のいかなるユーザ機器を指し、ＭＴＣ機器の具体的なタイプを限定しない。したがって、本発明において、用語「ＭＴＣユーザ機器」と「ユーザ機器」は置き換えて使用してもよい。
【００６８】
また、図４〜６に描かれたユーザ機器、基地局およびネットワーク側機器は、当業者が本発明をより明確に理解できるように作成された図であり、図示しなくても本発明を理解できるユニット／アセンブリを省略した。本発明の保護範囲はこれらの図面の具体的な細部に限定されない。例えば、実際に生産される機器には、ディスプレー、操作／メンテナンス用のインターフェース、アンテナなど、より多数のユニット／アセンブリが含まれてもよい。同様に、図４〜６に示された各ユニットは、より多数または少数のユニット／アセンブリによって実現されてもよい。例えば、図４に示された状態報告ユニット４１０と設定送信ユニット４６０は、同一送信回路によって実現されてもよく、図５に示された呼出処理ユニット５７０、設定ユニット５４０等は、同一処理モジュール／プロセッサによって実現されてもよい。また、図５に示された設定メッセージ生成・送信ユニット５５０も、１つのメッセージ生成ユニットと１つのメッセージ送信ユニットとの組合せによって実現されてもよい。
【００６９】
以下、図４〜６に示された各機器の簡略なブロック図に基づき、図７と図８を参照しながら本発明の具体例を説明する。
【００７０】
図７は、本発明の実施例における、ユーザ機器の呼出情報の送信/受信方法を示すフローチャートである。図１に示された方法は以下のステップを含む。
【００７１】
（ステップ１）
ユーザ機器内の状態報告ユニット４１０は、該ユーザ機器のカバー強化関連情報と該ユーザ機器の所属セルの情報とを含む、該ユーザ機器の状態情報を基地局に報告する。これらの状態情報は、状態情報收集ユニット４４０によって収集され、記憶ユニット４５０内に記憶されてもよい。
【００７２】
なお、一実施例において、ユーザ機器のカバー強化関連情報は、例えば以下のように、高位層シグナリングおよび／またはＲＲＣ  ｃｏｎｎｅｃｔｉｏｎ  ｒｅｑｕｅｓｔおよび／またはｓｅｔｕｐ  ｃｏｍｐｌｅｔｅ  ｍｅｓｓａｇｅ内に含まれてもよい。
【００７３】
【数１】
0006483728.tif 000002
【００７４】
ＭＴＣＵＥＳｔａｔｅＩｎｆｏｒｍａｔｉｏｎ−ｒ１２−ＩＥｓは、ユーザ機器状態情報を示す情報であり、高位層シグナリングおよび／またはＲＲＣ  ｃｏｎｎｅｃｔｉｏｎ  ｒｅｑｕｅｓｔおよび／またはｓｅｔｕｐ  ｃｏｍｐｌｅｔｅ  ｍｅｓｓａｇｅ内に含まれてもよい。ＭＴＣＵＥＳｔａｔｅＩｎｆｏｒｍａｔｉｏｎ−ｒ１２−ＩＥｓ内に含まれている繰返レベルパラメータであるＲｅｐｅｔｉｔｉｏｎＬｅｖｅｌは、現在にユーザ機器に必要なカバー強化レベルを示す。該カバー強化レベルは、ユーザ機器から提案された値である。限定的ではない一例において、「０」は、カバー強化を必要としないことを示す。「１」は、レベル１のカバー強化、例えば１〜５ｄＢのカバー強化を必要とすることを示す。「２」は、レベル２のカバー強化、例えば６〜１０ｄＢのカバー強化を必要とすることを示す。「３」は、レベル３のカバー強化、例えば１１〜１５ｄＢのカバー強化を必要とすることを示す。また、他の例示的な実施例において、当業者が本発明の原理に基づいて理解できる他の値、例えば、より多数または少数のレベル値、あるいは上記例とは数値が異なるカバー強化レベルを用いてもよい。ユーザ機器の所属セルのパラメータであるＣｅｌｌＣａｍｐｏｎは、ユーザ機器の現在の所属セルの情報を示し、「ｃｅｌｌＩｄｅｎｔｉｔｙ」と「ｐｈｙｓｃｅｌｌｉｄ」との二つの部分に分けられる。「ｃｅｌｌＩｄｅｎｔｉｔｙ」は、現在の所属セルが属している唯一のＰＬＭＮネットワークを示し、「ｐｈｙｓｃｅｌｌｉｄ」は、現在の所属セルの物理層識別子を示す。
【００７５】
他の実施例において、ＭＴＣユーザ機器のカバー強化関連情報は、ユーザ機器側の監視報告(例えば、測定報告および／またはＣＳＩ報告等)内に含まれる。
【００７６】
（ステップ２）
ネットワーク側または移動性管理実体は、呼出繰返レベルについて、ユーザ機器と合意を行う。該ステップは、具体的には以下の三つのサブステップに分けられてもよい。なお、うちのステップ２Ｂとステップ２ｂは二者択一であってもよい。
【００７７】
（ステップ２Ａ）
ユーザ機器から報告された状態情報を受信した後、基地局の設定ユニット５４０は、ユーザ機器に対してＭＴＣユーザ機器呼出繰返レベル情報を設定し、設定メッセージ生成・送信ユニット５５０は、該呼出繰返レベル情報を含む呼出繰返レベル設定メッセージを生成し、ユーザ機器に送信する。なお、該設定メッセージは呼出繰返レベル等の情報を含む。
【００７８】
ユーザ機器は、設定受信ユニット４２０が呼出繰返レベル設定メッセージを受信した後、自機がＲＲＣ  ＣＯＮＮＥＣＴ状態であっても、ＲＲＣ  ＩＤＬＥ状態であっても、該呼出繰返レベル設定メッセージ内に含まれている呼出繰返レベル情報を記憶ユニット４５０内に記憶する。
【００７９】
一実施例において、ＭＴＣユーザ機器の呼出繰返レベル情報は、以下のように、ＲＲＣ  ｃｏｎｎｅｃｔｉｏｎ  ｒｅｌｅａｓｅメッセージ内に含まれてもよい。
【００８０】
【数２】
0006483728.tif 000003
【００８１】
ＰａｇｉｎｇＲｅｐｅｔｉｔｉｏｎＬｅｖｅｌＣｏｎｆｉｇｕｒｅ−ｒ１２−ＩＥｓは、呼出繰返レベルの設定を示す情報であり、ＲＲＣ  ｃｏｎｎｅｃｔｉｏｎ  ｒｅｌｅａｓｅメッセージ内に含まれてもよい。ＰａｇｉｎｇＲｅｐｅｔｉｔｉｏｎＬｅｖｅｌＣｏｎｆｉｇｕｒｅ−ｒ１２−ＩＥｓに含まれている呼出繰返レベルパラメータであるＰａｇｉｎｇＲｅｐｅｔｉｔｉｏｎＬｅｖｅｌは、現在にユーザ機器に必要なカバー強化レベルの呼出を示す。「０」は、カバー強化を必要としないことを示す。「１」は、レベル１のカバー強化、例えば１〜５ｄＢのカバー強化を必要とすることを示す。「２」は、レベル２のカバー強化、例えば６〜１０ｄＢのカバー強化を必要とすることを示す。「３」は、レベル３のカバー強化、例えば１１〜１５ｄＢのカバー強化を必要とすることを示す。
【００８２】
他の実施例において、ＭＴＣユーザ機器の呼出繰返レベル情報は、システムブロードキャスト情報(例えばシステム情報ブロック(Ｓｙｓｔｅｍ  Ｉｎｆｏｒｍａｔｉｏｎ  Ｂｌｏｃｋ))および／または公通ＲＲＣシグナリング(ｃｏｍｍｏｎ  ＲＲＣ  ｓｉｇｎａｌｉｎｇ)内に含まれてもよい。具体的なメッセージ内容およびフォーマットは以下の通りである。
【００８３】
【数３】
0006483728.tif 000004
【００８４】
（ステップ２Ｂ）
基地局の状態指示ユニット５６０は、Ｓ１−ＡＰインターフェースメッセージを用いて、ネットワーク側または移動性管理実体にユーザ機器状態情報を報告する。該ステップは、ステップ２Ａと同時またはステップ２Ａの後に、すなわち、呼出繰返レベル情報の設定と同時またはその後に行われてもよい。該Ｓ１−ＡＰインターフェースメッセージは、ユーザ機器状態情報指示メッセージと称してもよく、呼出繰返レベル、ユーザ機器の所属セル等の情報を含んでもよい。該メッセージの具体的なフォーマットとしては、ユーザ機器状態情報指示メッセージが、ユーザ機器の状態情報を示すために、基地局からネットワーク側または移動性管理実体に送信される。
【００８５】
方向：基地局からネットワーク側または移動性管理実体へ
【００８６】
【表１】
0006483728.tif 000005
【００８７】
なお、前記ステップ２Ｂとステップ２Ａとが同時に行われる場合、ステップ２Ａにおいて基地局によって収集された関連パラメータを無視し、その代わりに、基地局は直接にＰａｇｉｎｇ  ｒｅｐｅｔｉｔｉｏｎ  ｌｅｖｅｌであるパラメータを決定する。
【００８８】
（代替的なステップ２ｂ）
ユーザ機器は、設定受信ユニット４２０が基地局から設定された呼出繰返レベル設定メッセージを受信した後、設定送信ユニット４６０が、Ｓ１−ＡＰインターフェースメッセージを用いてＭＴＣユーザ機器の状態情報をネットワーク側または移動性管理実体に報告する。該Ｓ１−ＡＰインターフェースメッセージは、非アクセス層（ＮＡＳ）メッセージ、例えば、呼出繰返レベルとユーザ機器の所属セル等の情報を含むユーザ機器状態情報指示メッセージであってもよい。これらの情報は共にユーザ機器の記憶ユニット４５０内に記憶されてもよい。
【００８９】
非アクセス層（ＮＡＳ）メッセージは、Ｓ１インターフェース上においてユーザ機器からネットワーク側または移動性管理実体に送信されるシグナリングである。なお、基地局は非アクセス層（ＮＡＳ）メッセージを解析しない。
【００９０】
一実施例において、基地局は、空間インターフェースから送信された、ネットワーク側または移動性管理実体に伝送する必要のあるＮＡＳメッセージを受信したとき、現有の上り非アクセス層（ＮＡＳ）伝送メッセージのＮＡＳ  ＰＤＵ  ＩＥを用いて該ＮＡＳメッセージを伝送してもよい。
【００９１】
他の実施例において、基地局は、空間インターフェースから送信された、ネットワーク側または移動性管理実体に伝送する必要のあるＮＡＳメッセージを受信したとき、新たな上り非アクセス層（ＮＡＳ）伝送プロセスにおいてユーザ機器状態情報指示メッセージを伝送してもよい。
【００９２】
基地局の以上の送信および受信は、状態報告受信ユニット５３０と状態指示ユニット５６０によってそれぞれ行われてもよく、図面に示されていない他の受信/送信モジュールによって行われてもよい。なお、新たな非アクセス層（ＮＡＳ）メッセージの具体的なメッセージフォーマットとしては、該メッセージが、ユーザ機器状態情報を含む新たな非アクセス層（ＮＡＳ）メッセージを示すために、基地局からネットワーク側または移動性管理実体に送信される。
【００９３】
方向：基地局からネットワーク側または移動性管理実体へ
【００９４】
【表２】
0006483728.tif 000006
【００９５】
（ステップ２Ｃ）
状態指示受信ユニット６１０が、基地局から直接送信されたＭＴＣユーザ機器の呼出繰返レベル情報、所属セルの識別子等の情報を受信した後、または、ユーザ機器から送信されたＭＴＣユーザ機器の呼出繰返レベル情報、所属セルの識別子等の情報を基地局経由で受信した後、ネットワーク側/移動性管理実体は、これらの情報およびそれに対応するＭＴＣユーザ機器の識別子（ＵＥ−ＩＤ）(例えばＴＭＳＩ)を記憶ユニット６３０内に記憶する。
【００９６】
（ステップ３）
ネットワーク側／移動性管理実体がユーザ機器の呼出を行う際、ネットワーク側または移動性管理実体は、呼出予備処理ユニット６４０を用いて、ステップ２Ｃにおいて記憶ユニット６３０内に記憶された情報に基づき、呼出される該ユーザ機器がカバー強化を必要とするユーザ機器であるかを判断する。呼出されるユーザ機器がカバー強化を必要とするユーザ機器である場合には、追跡エリアの全セルについて呼出メッセージを繰返して伝送することに起因するシステム負荷を低減させて呼出效率を高めるために、該ユーザ機器の追跡エリア（Ｔｒａｃｋｉｎｇ  Ａｒｅａ）を、通常のユーザ機器(すなわち、カバー強化を必要としないユーザ機器)の追跡エリア（Ｔｒａｃｋｉｎｇ  Ａｒｅａ）、例えばより少数のセルを含んでいる追跡エリアと区別する必要がある。なお、カバー強化を必要とするユーザ機器の追跡エリアを生成するタイミングと、通常のユーザ機器の追跡エリアを生成するタイミングとは同様であってもよい。
【００９７】
一実施例において、カバー強化を必要とするユーザ機器の追跡エリアは、通常のユーザ機器の追跡エリアから区別される追跡エリアコード（Ｔｒａｃｋｉｎｇ  Ａｒｅａ  Ｃｏｄｅ）を有してもよい。該特定の追跡エリアコードは、基地局の設定メッセージ生成・送信ユニット５５０または他の設定ユニットによって生成され、システムブロードキャストメッセージの方式でユーザ機器に送信されてもよい。ユーザ機器の設定受信ユニット４２０は該追跡エリア識別子を受信する。該追跡エリア識別子の受信後に、呼出メッセージ受信ユニット４３０は、該追跡エリア識別子によって示された追跡エリア内のセルについて、特定の繰返レベルで送信され且つ呼出情報を含んだ物理ダウンリンク共有チャネルデータを、複数のサブフレーム上において受信する。
【００９８】
一実施例において、カバー強化を必要とするユーザ機器の追跡エリア内のセルは同一基地局に所属してもよい。該基地局はＭＴＣサービス基地局であってもよい。
【００９９】
他の実施例において、カバー強化を必要とするＭＴＣユーザ機器の追跡エリア内のセルはＭＴＣサービスセルであってもよい。
【０１００】
ネットワーク側または移動性管理実体がカバー強化を必要とするユーザ機器の呼出を行う際、ネットワーク側または移動性管理実体は、呼出メッセージ送信ユニット６２０を用いて、ＭＴＣユーザ機器が登録された追跡エリア（Ｔｒａｃｋｉｎｇ  Ａｒｅａ）の範囲内の各基地局に呼出メッセージを送信する。
【０１０１】
一実施例において、該呼出メッセージは、呼出繰返レベル等の情報を含むＳ１−ＡＰインターフェース呼出メッセージである。該インターフェースメッセージの具体的なフォーマットとしては、ユーザ機器の呼出メッセージが、特定の基地局の範囲内でユーザ機器の呼出が行われるように、ネットワーク側または移動性管理実体から基地局に送信される。
【０１０２】
方向：ネットワーク側または移動性管理実体から基地局へ
【０１０３】
【表３】
0006483728.tif 000007
【０１０４】
（ステップ４）
基地局の呼出メッセージ受信ユニット５１０が、ネットワーク側または移動性管理実体から送信されたインターフェース呼出メッセージを受信した後、追跡エリア識別子のテーブル内のセルごとに、基地局は、呼出実行ユニット５２０を用い、呼出繰返レベルに基づいて空間インターフェース上において複数回の呼出を行う。具体的な回数は、「呼出繰返レベル（Ｐａｇｉｎｇ  ｒｅｐｅｔｉｔｉｏｎ  ｌｅｖｅｌ）」パラメータにより決定される。例えば、具体的な一例において、「０」は呼出を１回行う必要があることを示し、「１」は呼出を３回行う必要があることを示し、「２」は、呼出を１０回行う必要があることを示し、「３」は、呼出を３０回行う必要があることを示してもよい。以上の例は限定的なものではない。他の例では、必要に応じて具体的な呼出回数を変更してもよい。
【０１０５】
他の実施例において、該Ｓ１−ＡＰインターフェース呼出メッセージは、呼出繰返レベルと、ユーザ機器の所属セル等の情報とを含む。該インターフェースメッセージの具体的なフォーマットとしては、ユーザ機器の呼出情報が、特定の基地局の範囲内でユーザ機器の呼出が行われるように、ネットワーク側または移動性管理実体から基地局に送信される。
【０１０６】
方向：ネットワーク側または移動性管理実体から基地局へ
【０１０７】
【表４】
0006483728.tif 000008
【０１０８】
他の実施例において、基地局の呼出メッセージ受信ユニット５１０が、ネットワーク側または移動性管理実体から送信された呼出インターフェースメッセージを受信した後、呼出処理ユニット５７０は解析を行い、呼出されるべきセル、すなわち、前記ユーザ機器の所属セルを特定する。基地局は、呼出実行ユニット５２０を用いて、解析で特定されたセルについて、呼出繰返レベルに基づいて空間インターフェース上において複数回の呼出を行う。ユーザ機器の呼出メッセージ受信ユニット４３０は該呼出を受信する。
【０１０９】
図２は、本発明の他の実施例に係る、カバー強化を必要とするユーザ機器の呼出情報の送信/受信方法のフローチャートである。図２に示された方法は、以下のステップを含む。
【０１１０】
＜ステップ１＞
ユーザ機器の状態報告ユニット４１０は、Ｓ１−ＡＰインターフェースメッセージを用い、ネットワーク側または移動性管理実体に、ユーザ機器のカバー強化関連情報とユーザ機器の所属セルの情報等とを含む、該ユーザ機器の状態情報を報告する。該Ｓ１−ＡＰインターフェースメッセージは、非アクセス層（ＮＡＳ）メッセージであってもよい。
【０１１１】
非アクセス層（ＮＡＳ）メッセージは、Ｓ１インターフェース上においてユーザ機器からネットワーク側または移動性管理実体に送信されるシグナリングである。なお、基地局は非アクセス層（ＮＡＳ）メッセージを解析しない。
【０１１２】
一実施例において、ユーザ機器は、空間インターフェースから基地局に、非アクセス層（ＮＡＳ）メッセージを伝送してもよい。基地局は、現有の上り非アクセス層（ＮＡＳ）伝送メッセージのＮＡＳ  ＰＤＵ  ＩＥを用いて、該非アクセス層（ＮＡＳ）メッセージを伝送してもよい。
【０１１３】
他の実施例において、ユーザ機器は、非アクセス層（ＮＡＳ）メッセージを空間インターフェースから基地局に伝送してもよい。基地局は、新たな上り非アクセス層（ＮＡＳ）伝送プロセスにおいてユーザ機器状態情報指示メッセージを伝送してもよい。該メッセージの具体的なフォーマットとしては、ユーザ機器状態情報指示メッセージが、ユーザ機器の状態情報を示すために、基地局からネットワーク側または移動性管理実体に送信される。
【０１１４】
方向：基地局からネットワーク側または移動性管理実体へ
【０１１５】
【表５】
0006483728.tif 000009
【０１１６】
ネットワーク側または移動性管理実体は、ユーザ機器から送信された繰返レベル情報、所属セルの識別子等の情報を受信した後、これらの情報、およびそれに対応するＭＴＣユーザ機器識別子ＴＭＳＩ（ＵＥ−ＩＤ）を記憶する。
【０１１７】
＜ステップ２＞
ネットワーク側または移動性管理実体は、ユーザ機器から受信された情報に基づき、ユーザ機器に対してＭＴＣユーザ機器呼出繰返レベル情報を設定し、該情報を含んだ呼出繰返レベル設定メッセージをユーザ機器に送信する。なお、該設定メッセージは呼出繰返レベル等の情報を含む。ユーザ機器は、呼出繰返レベル設定メッセージを受信した後、自機がＲＲＣ  ＣＯＮＮＥＣＴ状態であっても、ＲＲＣ  ＩＤＬＥ状態であっても、呼出繰返レベル設定メッセージ内に含まれている呼出繰返レベル情報を記憶する。該設置メッセージは、例えばＮＡＳ下り伝送メッセージのようなＳ１−ＡＰインターフェースメッセージ内に含まれてもよい。
【０１１８】
一実施例において、ネットワーク側または移動性管理実体は、現有の下りＮＡＳ伝送情報のＮＡＳ  ＰＤＵ  ＩＥを用いて該ＮＡＳメッセージを基地局に伝送してもよい。基地局は、空間インターフェースからユーザ機器にＮＡＳメッセージを伝送してもよい。
【０１１９】
他の実施例において、ネットワーク側または移動性管理実体は、新たな下りＮＡＳ伝送プロセスにおいて呼出繰返レベル設定メッセージを基地局に伝送してもよい。基地局は、空間インターフェースからユーザ機器に該ＮＡＳメッセージを伝送してもよい。その具体的なメッセージフォーマットは以下の通りである。
【０１２０】
【表６】
0006483728.tif 000010
【０１２１】
＜ステップ３＞
該ステップは、図７に示された実施例におけるステップ３と同様であり、ここでは再度説明しない。
【０１２２】
＜ステップ４＞
該ステップは、図７に示された実施例におけるステップ４と同様であり、ここでは再度説明しない。
【０１２３】
一実施例において、カバー強化を必要とするユーザ機器は、その移動性によりチャネル条件が変化し、チャネル繰返レベルが変更する可能性がある。図９に示されたように、ユーザ機器は、位置Ｔ１から位置Ｔ２まで移動したとき、そのチャネル条件が変化し、チャネル繰返レベルの変更（例えばＣＥが変化する）などを引き起こす。したがって、ユーザ機器が初期アクセス、セルの選択またはセルの再選択を行うとき、あるいは、基地局および／またはネットワーク側若しくは移動性管理実体がユーザ機器の呼出繰返レベルまたは所属セルを再設定するときには、ユーザ機器は、状態報告ユニット４１０を用いて、基地局および／またはネットワーク側若しくは移動性管理実体にユーザ機器の状態情報を再報告する必要がある。その報告プロセスは図７および／または図８の実施例に示された通りである。
【０１２４】
一実施例において、基地局は、呼出繰返レベルを含む複数の呼出メッセージを同時に受信した場合において、該複数の呼出メッセージに同一の呼出繰返レベルが含まれているとき、呼出処理ユニット５７０を用いて、該複数の呼出メッセージを１つの呼出メッセージに統合してもよい。
【０１２５】
他の実施例において、基地局は、呼出繰返レベルと所属セルとを含む複数の呼出メッセージを同時に受信した場合において、該複数の呼出メッセージ内に同一の呼出繰返レベルおよび同一の所属セルが含まれているとき、呼出処理ユニット５７０を用いて、該複数の呼出メッセージを１つの呼出メッセージに統合してもよい。
【０１２６】
当業者に理解されるように、本発明の上記実施例は、ソフトウェア、ハードウェア、またはソフトウェアとハードウェアとの組合せにより実現可能である。例えば、上記実施例の基地局およびユーザ機器内の各アセンブリは、各種のデバイスまたは回路により実現され得る。これらのデバイスとしては、アナログ回路デバイス、デジタル回路デバイス、デジタル信号処理（ＤＳＰ）回路、プログラマブルプロセッサ、専用集積回路（ＡＳＩＣ）、フィールド・プログラマブル・ゲートアレイ（ＦＰＧＡ）、プログラマブル・ロジックデバイス（ＣＰＬＤ）などを含むが、これらに限定されない。
【０１２７】
本明細書において、「基地局」とは、比較的に大きな放射パワーおよび広いカバレッジを有するモバイル通信データスイッチングセンターおよび制御スイッチングセンターを指し、例えばリソーススケジューリング機能やデータ送受信機能などを備える。また、「ユーザ機器」とは、ＭＴＣユーザモバイル端末のようなモバイル型ユーザ端末を指し、例えば携帯電話、ノート型コンピュータなど、基地局またはフェムトセルと無線通信できる端末機器を含む。
【０１２８】
また、以上に説明した本発明の実施例は、コンピュータプログラム製品によって実現可能である。より具体的には、該コンピュータプログラム製品とは、符号化されたコンピュータプログラムロジックを記録したコンピュータ読み取り可能な記録媒体を備える製品であって、該コンピュータプログラムロジックがコンピュータ機器によって実行されることで、本発明の上記構成を実現する関連処理が行われる製品である。また、該コンピュータプログラムロジックは、コンピューティングシステムにおける少なくとも１つのプロセッサによって実行されると、本発明の実施例に記載の処理（方法）が実行されるようになる。本発明の上記構成に供される代表的なものとしては、例えば、光学媒体（例えばＣＤ−ＲＯＭ）、フロッピ（登録商標）またはハードディスクのようなコンピュータ読み取り可能な記録媒体上に記録、符号化されたソフトウェア、コードおよび／または他のデータ構成、あるいは、１つまたは複数のＲＯＭ、ＲＡＭ若しくはＰＲＯＭチップ上の固定素子やマイクロコードのような他の媒体、あるいは、１つまたは複数のモジュール内のダウンロード可能なソフトウェア画像、共有データベース等が挙げられる。また、ソフトウェア、固定素子または上記構成をコンピューティング機器に設け、本発明の実施例に記載の技術的構成をコンピューティング機器内の１つまたは複数のプロセッサに実行させてもよい。
【０１２９】
以上、本発明の好ましい実施形態を例示しつつ、本発明について説明したが、当業者に理解されるように、本発明の精神および範囲から逸脱しない限り、本発明に対して種々の改修、置換および変更を行うことが可能である。したがって、本発明は、前記した実施例に限定されず、添付される特許請求の範囲およびその均等的ものによって限定されるべきである。
【図面の簡単な説明】
【０１３０】
【図１】本発明の実施例に係る、ユーザ機器によって実行される呼出メッセージの受信方法を示す簡略なフローチャートである。
【図２】本発明の実施例に係る、基地局によって実行される呼出メッセージの送信方法を示す簡略なフローチャートである。
【図３】本発明の実施例に係る、ネットワーク側機器によって実行される呼出メッセージの送信方法を示す簡略なフローチャートである。
【図４】本発明の実施例に係るユーザ機器を示す簡略なブロック図である。
【図５】本発明の実施例に係る基地局を示す簡略なブロック図である。
【図６】本発明の実施例に係るネットワーク側機器を示す簡略なブロック図である。
【図７】本発明の実施例に係る、カバー強化を必要とするユーザ機器に対する呼出情報の送信方法および受信方法を示すフローチャートである。
【図８】本発明の実施例に係る、カバー強化を必要とするユーザ機器に対する呼出情報の送信方法および受信方法を示す他のフローチャートである。
【図９】本発明の実施例に係る、カバー強化を必要とするユーザ機器の移動性によるチャネル条件の変化を示す図である。
【図１】
0006483728.tif 000011
【図２】
0006483728.tif 000012
【図３】
0006483728.tif 000013
【図４】
0006483728.tif 000014
【図５】
0006483728.tif 000015
【図６】
0006483728.tif 000016
【図７】
0006483728.tif 000017
【図８】
0006483728.tif 000018
【図９】
0006483728.tif 000019